(57)【特許請求の範囲】
【請求項１】
抽斗を抽斗格納部に水平に出入れ可能に押し入れて格納する抽斗格納構造であって、
上記抽斗の側板には、第１磁石が取り付けられ、
上記抽斗の側板に対応する上記抽斗格納部の側板には、上記第１磁石と同極性の第２磁石が取り付けられ、
上記抽斗の側板には、第１磁石と反極性の第３磁石が上記第１磁石よりも抽斗格納部手前側に取り付けられ、
上記第１磁石は、抽斗引出し状態で上記第２磁石よりも抽斗格納部手前側に位置し、抽斗押入れ完了状態で上記第２磁石よりも抽斗格納部奥側に位置しており、
上記第３磁石は、抽斗押入れ完了状態で上記第２磁石よりも抽斗格納部手前側に位置していることを特徴とする抽斗格納構造。
【請求項２】
抽斗を抽斗格納部に水平に出入れ可能に押し入れて格納する抽斗格納構造であって、
上記抽斗の側板には、第１磁石が取り付けられ、
上記抽斗の側板に対応する上記抽斗格納部の側板には、上記第１磁石と同極性の第２磁石が取り付けられ、
上記抽斗格納部の側板には、第１磁石と反極性の第３磁石が上記第２磁石よりも抽斗格納部奥側に取り付けられ、
上記第１磁石は、抽斗引出し状態で上記第２磁石よりも抽斗格納部手前側に位置し、抽斗押入れ完了状態で上記第２磁石よりも抽斗格納部奥側に位置しており、
上記第３磁石は、抽斗押入れ完了状態で上記第１磁石よりも抽斗格納部奥側に位置していることを特徴とする抽斗格納構造。
【請求項３】
請求項１に記載の抽斗格納構造において、
上記抽斗格納部の側板には、第１磁石と同極性の第４磁石が上記第２磁石よりも抽斗格納部手前側に取り付けられ、
上記第４磁石は、抽斗押入れ完了状態で上記第３磁石と側面視で重なっていることを特徴とする抽斗格納構造。
【請求項４】
請求項２に記載の抽斗格納構造において、
上記抽斗の側板には、第１磁石と同極性の第４磁石が上記第２磁石よりも抽斗格納部奥側に取り付けられ、
上記第４磁石は、抽斗押入れ完了状態で上記第３磁石と側面視で重なっていることを特徴とする抽斗格納構造。
【請求項５】
抽斗を抽斗格納部に水平に出入れ可能に押し入れて格納する抽斗格納構造であって、
上記抽斗の側板には、第１磁石が取り付けられ、
上記抽斗の側板に対応する上記抽斗格納部の側板には、上記第１磁石と同極性の第２磁石が取り付けられ、
上記抽斗格納部の側板には、第１磁石と反極性の第３磁石が上記第２磁石よりも抽斗格納部手前側に取り付けられ、
上記抽斗の側板には、第１磁石と同極性の第４磁石が上記第１磁石よりも抽斗格納部手前側に取り付けられ、
上記抽斗の側板には、第１磁石と反極性の第５磁石が上記第１磁石と第４磁石との間に取り付けられ、
上記第１磁石は、抽斗引出し状態で上記第２磁石よりも抽斗格納部手前側に位置し、抽斗押入れ完了状態で上記第２磁石よりも抽斗格納部奥側に位置しており、
上記第３磁石は、抽斗押入れ完了状態で上記第１磁石よりも抽斗格納部手前側に位置し、かつ上記第４磁石と側面視で重なっており、
上記第５磁石は、抽斗押入れ完了状態で上記第２磁石よりも抽斗格納部手前側に位置していることを特徴とする抽斗格納構造。
【発明の詳細な説明】
【技術分野】
【０００１】
この発明は、抽斗の納まりの良い抽斗格納構造の改良に関するものである。
【背景技術】
【０００２】
抽斗を抽斗格納部に勢いよく押し入れると、抽斗が跳ね返って抽斗格納部から飛び出すことがある。これを防止するために、樹脂製のストッパを用いることが一般に行われているが、温度変化による劣化や長期使用による摩耗等で一定のキャッチ力を保つことが難しいことが指摘されている。
【０００３】
また、ダンパ機構等を用いることも考えられるが、設置スペースが必要となって小さな抽斗格納構造では対応が難しいだけでなく、コスト上昇は避けられない。
【０００４】
一方、特許文献１では、抽斗の底板後部に第１磁石を取り付け、抽斗の底板に対応する抽斗格納部の底部に上記第１磁石と反極性の第２磁石を取り付けることにより、抽斗押入れ完了状態で両磁石を接近させて上下に対応させることにより吸着力を発揮させ、抽斗を抽斗格納部に勢いよく押し入れても、抽斗が抽斗格納部から飛び出さないようにしている。
【先行技術文献】
【特許文献】
【０００５】
【特許文献１】特開２０１１−６２４１６号公報（段落００２１〜００２４欄、図２，６〜８）
【発明の概要】
【発明が解決しようとする課題】
【０００６】
しかし、上記特許文献１では、第１磁石と第２磁石との吸着力が強過ぎると、抽斗を押し入れた際の衝撃が強くなる嫌いがある。さらに、第１磁石を抽斗の底板に取り付けているため、２段目や３段目の抽斗の場合には、抽斗格納部側に第２磁石の取付け場所がなく、対応が困難である。また、抽斗は物が収納されると、底板が重みで反ることがあり、この場合には第１磁石が第２磁石に接近し過ぎて吸着力が過剰になったり、あるいは両磁石が接触して出入れ操作が困難になる。
【０００７】
この発明はかかる点に鑑みてなされたものであり、その目的とするところは、抽斗押入れ時の衝撃が強くなく、しかも、抽斗が複数段ある場合においても、抽斗押し入れ完了状態で一定のキャッチ力を保持して抽斗の跳ね返りを防止することである。
【課題を解決するための手段】
【０００８】
上記の目的を達成するため、この発明は、抽斗押入れ時に磁石の反発力を利用するとともに、その取付け場所及び取付け方を工夫したことを特徴とする。
【０００９】
具体的には、この発明は、抽斗を抽斗格納部に水平に出入れ可能に押し入れて格納する抽斗格納構造を対象とし、次のような解決手段を講じた。
【００１０】
すなわち、第１の発明は、上記抽斗の側板には、第１磁石が取り付けられ、上記抽斗の側板に対応する上記抽斗格納部の側板には、上記第１磁石と同極性の第２磁石が取り付けられ、上記抽斗の側板には、第１磁石と反極性の第３磁石が上記第１磁石よりも抽斗格納部手前側に取り付けられ、上記第１磁石は、抽斗引出し状態で上記第２磁石よりも抽斗格納部手前側に位置し、抽斗押入れ完了状態で上記第２磁石よりも抽斗格納部奥側に位置しており、上記第３磁石は、抽斗押入れ完了状態で上記第２磁石よりも抽斗格納部手前側に位置していることを特徴とする。
【００１１】
第２の発明は、上記対象の抽斗格納構造として、上記抽斗の側板には、第１磁石が取り付けられ、上記抽斗の側板に対応する上記抽斗格納部の側板には、上記第１磁石と同極性の第２磁石が取り付けられ、上記抽斗格納部の側板には、第１磁石と反極性の第３磁石が上記第２磁石よりも抽斗格納部奥側に取り付けられ、上記第１磁石は、抽斗引出し状態で上記第２磁石よりも抽斗格納部手前側に位置し、抽斗押入れ完了状態で上記第２磁石よりも抽斗格納部奥側に位置しており、上記第３磁石は、抽斗押入れ完了状態で上記第１磁石よりも抽斗格納部奥側に位置していることを特徴とする。
【００１２】
第３の発明は、第１の発明において、上記抽斗格納部の側板には、第１磁石と同極性の第４磁石が上記第２磁石よりも抽斗格納部手前側に取り付けられ、上記第４磁石は、抽斗押入れ完了状態で上記第３磁石と側面視で重なっていることを特徴とする。
【００１３】
第４の発明は、第２の発明において、上記抽斗の側板には、第１磁石と同極性の第４磁石が上記第２磁石よりも抽斗格納部奥側に取り付けられ、上記第４磁石は、抽斗押入れ完了状態で上記第３磁石と側面視で重なっていることを特徴とする。
【００１４】
第５の発明は、上記対象の抽斗格納構造として、上記抽斗の側板には、第１磁石が取り付けられ、上記抽斗の側板に対応する上記抽斗格納部の側板には、上記第１磁石と同極性の第２磁石が取り付けられ、上記抽斗格納部の側板には、第１磁石と反極性の第３磁石が上記第２磁石よりも抽斗格納部手前側に取り付けられ、上記抽斗の側板には、第１磁石と同極性の第４磁石が上記第１磁石よりも抽斗格納部手前側に取り付けられ、抽斗の側板には、第１磁石と反極性の第５磁石が上記第１磁石と第４磁石との間に取り付けられ、上記第１磁石は、抽斗引出し状態で上記第２磁石よりも抽斗格納部手前側に位置し、抽斗押入れ完了状態で上記第２磁石よりも抽斗格納部奥側に位置しており、上記第３磁石は、抽斗押入れ完了状態で上記第１磁石よりも抽斗格納部手前側に位置し、かつ上記第４磁石と側面視で重なっており、上記第５磁石は、抽斗押入れ完了状態で上記第２磁石よりも抽斗格納部手前側に位置していることを特徴とする。
【発明の効果】
【００１５】
第１の発明によれば、抽斗押入れ完了直前で、第１磁石が第２磁石に接近して両磁石の反発力で抽斗押入れ速度が弱まるので、抽斗を抽斗格納部に勢いよく押し入れても、その反動による衝撃がない。また、抽斗押入れ完了状態では、第１磁石が第２磁石よりも抽斗格納部奥側に位置しているので、両磁石の反発力で抽斗が抽斗格納部奥側に引き込まれて抽斗格納状態が安定保持される。さらに、抽斗出入れ時に両磁石の反発力に打ち勝って引き出されたり、押し入れられるので、出入れ時の操作感覚が得られて操作性が良い。加えて、第１磁石は抽斗の側板に、第２磁石は抽斗格納部の側板にそれぞれ取り付けられているので、抽斗が複数段ある抽斗格納構造の場合においても、磁石の取付けに支障を来さず、抽斗押入れ完了状態で一定のキャッチ力を保持して抽斗の跳ね返りを防止することができる。また、抽斗押入れ完了状態で、第３磁石と第２磁石との吸着力による抽斗格納部手前側への引出し力と、第１磁石と第２磁石との反発力による抽斗格納部奥側への引込み力とのバランスがとれて、出入れ時の操作性がさらに良いものとなる。
【００１６】
第２の発明によれば、第１の発明と同様の作用効果が得られる。また、抽斗押入れ完了状態で、第１磁石と第３磁石との吸着力による抽斗格納部手前側への引出し力と、第１磁石と第２磁石との反発力による抽斗格納部奥側への引込み力とのバランスがとれ、第１の発明と同様に、出入れ時の操作性がさらに良いものとなる。
【００１７】
第３〜第５の発明によれば、抽斗押入れ完了状態で、第３磁石と第４磁石との吸着力によるその場に止まろうとする力と、第１磁石と第２磁石との反発力による抽斗格納部奥側への引込み力とのバランスがとれ、これによっても、出入れ時の操作性がさらに良いものとなる。
【００１８】
第５の発明によれば、第１の発明の作用効果に加え、第５磁石と第２磁石との吸着力による抽斗格納部手前側への引出し力と、第５磁石と第３磁石との反発力による抽斗格納部奥側への引込み力とがさらに加わり、出入れ時の操作性が一層良いものとなる。
【図面の簡単な説明】
【００１９】
【図１】参考形態１に係る抽斗格納構造の斜視図である。
【図２】参考形態１に係る抽斗格納構造の平面図であり、（ａ）は抽斗引出し状態、（ｂ）は抽斗押入れ完了直前の状態、（ｃ）は抽斗押入れ完了状態をそれぞれ示す。
【図３】実施形態１に係る抽斗格納構造の図２相当図である。
【図４】実施形態２に係る抽斗格納構造の図２相当図である。
【図５】実施形態３に係る抽斗格納構造の図２相当図である。
【図６】実施形態４に係る抽斗格納構造の図２相当図である。
【図７】参考形態２に係る抽斗格納構造の図２相当図である。
【図８】実施形態５に係る抽斗格納構造の図２相当図である。
【発明を実施するための形態】
【００２０】
以下、この発明の実施形態について図面に基づいて説明する。
【００２１】
（参考形態１）
図１は参考形態１に係る抽斗格納構造を示す。図１において、１は抽斗、３は該抽斗１が水平に出入れ可能に押し入れられて格納される抽斗格納部である。この抽斗格納部３は、タンスやキャビネット等の本体を構成している。
【００２２】
上記抽斗１は、前板１ａ、向板１ｂ、底板１ｃ及び左右の両側板１ｄとで構成され、その両側板１ｄの向板１ｂ寄りでかつ下端寄りには、第１磁石５が突出するように取り付けられている。
【００２３】
上記抽斗格納部３は、天板３ａ、底板３ｂ、背板３ｃ及び左右の両側板３ｄとで構成され、その側板３ｄの背板３ｃ寄りでかつ下端寄り、つまり上記抽斗１の両側板１ｄに対応する上記抽斗格納部３の両側板３ｄには、上記第１磁石５と同極性の第２磁石７が突出するように取り付けられている。
【００２４】
上記第１磁石５は、図２（ａ）に示すように、抽斗１引出し状態で上記第２磁石７よりも抽斗格納部３手前側に位置し、抽斗１押入れ完了直前で、図２（ｂ）に示すように、上記第２磁石７に接近し、その後、該第２磁石７と一部重なった状態で上記第２磁石７を僅かに追い越して、図２（ｃ）に示すように、抽斗１押入れ完了状態で上記第２磁石７よりも抽斗格納部３奥側に位置している。なお、図２において、第１磁石５及び第２磁石７を共に黒く塗り潰しているのは、両磁石５，７が同極性であることを表している。以下の各実施形態や参考形態でも同様に表している。
【００２５】
このように構成された抽斗格納構造では、抽斗１を抽斗格納部３に押し入れると、抽斗１押入れ完了直前で、第１磁石５が第２磁石７に接近して両磁石５，７の反発力で抽斗１押入れ速度が弱まる。したがって、抽斗１を抽斗格納部３に勢いよく押し入れても、その反動による衝撃をなくすことができる。
【００２６】
また、抽斗１押入れ完了状態では、第１磁石５が第２磁石７よりも抽斗格納部３奥側に位置し、両磁石５，７の反発力で抽斗１が抽斗格納部３奥側に引き込まれて抽斗１格納状態を安定保持することができる。
【００２７】
さらに、抽斗１出入れ時に両磁石５，７の反発力に打ち勝って引き出されたり、押し入れられるため、出入れ時の操作感覚が得られて操作性を良くすることができる。
【００２８】
加えて、第１磁石５を抽斗１の側板１ｄに、第２磁石７を抽斗格納部３の側板３ｄにそれぞれ取り付けているため、抽斗１が複数段ある抽斗格納構造の場合においても、磁石５，７の取付けに支障を来さず、抽斗１押し入れ完了状態で一定のキャッチ力を保持して抽斗１の跳ね返りを防止することができる。
【００２９】
（実施形態１）
図３は本発明の実施形態１に係る抽斗格納構造を示す。この実施形態１では、第１磁石５が抽斗１に、第２磁石７が抽斗格納部３にそれぞれ突出するように取り付けられていること、及びこれらの取付け位置は参考形態１と同じであるが、抽斗１の側板１ｄに、第１磁石５と反極性の第３磁石９が上記第１磁石５よりも抽斗格納部３手前側に間隔をあけて突出するように取り付けられている点が参考形態１と異なっている。なお、図３において、第３磁石９を白抜きで示しているのは、第１磁石５と反極性であることを表している。以下の各実施形態や参考形態でも同様に表している。
【００３０】
上記第１磁石５及び第３磁石９は、図３（ａ）に示すように、抽斗１引出し状態で上記第２磁石７よりも抽斗格納部３手前側に位置し、抽斗１押入れ完了直前で、図３（ｂ）に示すように、上記第２磁石７に接近し、その後、上記第１磁石５が第２磁石７を追い越して、図３（ｃ）に示すように、抽斗１押入れ完了状態で上記第２磁石７よりも抽斗格納部３奥側に位置している。一方、上記第３磁石９は、抽斗１押入れ完了状態で上記第２磁石７よりも抽斗格納部３手前側に位置している。
【００３１】
このように構成された抽斗格納構造では、抽斗１押入れ完了状態で、第３磁石９と第２磁石７との吸着力による抽斗格納部３手前側への引出し力と、第１磁石５と第２磁石７との反発力による抽斗格納部３奥側への引込み力とのバランスがとれて、出入れ時の操作性をさらに良くすることができる。
【００３２】
（実施形態２）
図４は実施形態２に係る抽斗格納構造を示す。この実施形態２では、第１磁石５が抽斗１に、第２磁石７が抽斗格納部３にそれぞれ突出するように取り付けられていること、及びこれらの取付け位置は参考形態１及び実施形態１とほぼ同じ（若干、抽斗格納部３手前側）であるが、実施形態１とは逆に、抽斗格納部３の側板３ｄに、第１磁石５と反極性の第３磁石９が上記第２磁石７よりも抽斗格納部３奥側に間隔をあけて突出するように取り付けられている点が実施形態１と異なっている。
【００３３】
上記第１磁石５は、図４（ａ）に示すように、抽斗１引出し状態で上記第２磁石７及び第３磁石９よりも抽斗格納部３手前側に位置し、抽斗１押入れ完了直前で、図４（ｂ）に示すように、上記第２磁石７及び第３磁石９に接近し、その後、上記第１磁石５が第２磁石７を追い越して、図４（ｃ）に示すように、抽斗１押入れ完了状態で上記第２磁石７よりも抽斗格納部３奥側に位置している。一方、上記第３磁石９は、第１磁石５に追い越されず、抽斗１押入れ完了状態で上記第１磁石５よりも抽斗格納部３奥側に位置している。
【００３４】
このように構成された抽斗格納構造では、抽斗１押入れ完了状態で、第１磁石５と第３磁石９との吸着力による抽斗格納部３手前側への引出し力と、第１磁石５と第２磁石７との反発力による抽斗格納部３奥側への引込み力とのバランスがとれて、実施形態１と同様に、出入れ時の操作性をさらに良くすることができる。
【００３５】
（実施形態３）
図５は実施形態３に係る抽斗格納構造を示す。この実施形態３では、第１磁石５及び第３磁石９が抽斗１に、第２磁石７が抽斗格納部３にそれぞれ突出するように取り付けられていること、及びこれらの取付け位置は実施形態１とほぼ同じ（若干、第２磁石７が抽斗格納部３奥側）であるが、上記抽斗格納部３の側板３ｄに、第１磁石５と同極性の第４磁石１１が上記第２磁石７よりも抽斗格納部３手前側に間隔をあけて突出するように取り付けられている点が実施形態１と異なっている。
【００３６】
上記第１磁石５及び第３磁石９は、図５（ａ）に示すように、抽斗１引出し状態で上記第２磁石７及び第４磁石１１よりも抽斗格納部３手前側に位置し、抽斗１押入れ完了直前で、図５（ｂ）に示すように、上記第４磁石１１に接近し、その後、上記第１磁石５が第４磁石１１を追い越して第２磁石７と一部重なった状態で該第２磁石７を僅かに追い越し、図５（ｃ）に示すように、抽斗１押入れ完了状態で上記第２磁石７よりも抽斗格納部３奥側に位置している。一方、上記第４磁石１１は、上記第３磁石９に追い越されず、抽斗１押入れ完了状態で上記第４磁石１１と側面視で重なっている。ここで、「側面視で重なっている」とは、完全に重なっている場合のほか、一部が重なっている場合をも含む。以下の各実施形態及び参考形態においても同様である。
【００３７】
このように構成された抽斗格納構造では、抽斗１押入れ完了状態で、第３磁石９と第４磁石１１との吸着力によるその場に止まろうとする力と、第１磁石５と第２磁石７との反発力による抽斗格納部３奥側への引込み力とのバランスがとれ、出入れ時の操作性をさらに良くすることができる。
【００３８】
（実施形態４）
図６は実施形態４に係る抽斗格納構造を示す。この実施形態４では、第１磁石５が抽斗１に、第２磁石７が抽斗格納部３にそれぞれ突出するように取り付けられていること、及びこれらの取付け位置は参考形態１とほぼ同じ（若干、抽斗格納部３手前側）であるが、上記抽斗格納部３の側板３ｄに、第１磁石５と反極性の第３磁石９が抽斗格納部３奥側に該第２磁石７と間隔をあけて突出するように取り付けられていること、及び上記抽斗１の側板１ｄに、第１磁石５と同極性の第４磁石１１が上記第２磁石７よりも抽斗格納部３奥側に間隔をあけて突出するように取り付けられていることが他の実施形態及び参考形態と異なっている。
【００３９】
上記第１磁石５及び第４磁石１１は、図６（ａ）に示すように、抽斗１引出し状態で上記第２磁石７及び第３磁石９よりも抽斗格納部３手前側に位置し、抽斗１押入れ完了直前で、図６（ｂ）に示すように、上記第２磁石７に接近し、その後、上記第４磁石１１が第２磁石７を追い越し、図６（ｃ）に示すように、抽斗１押入れ完了状態で上記第３磁石９と側面視で重なっている。一方、上記第１磁石５は、第２磁石７と一部重なった状態で該第２磁石７を僅かに追い越し、図６（ｃ）に示すように、抽斗１押入れ完了状態で上記第２磁石７よりも抽斗格納部３奥側に位置している。
【００４０】
このように構成された抽斗格納構造では、実施形態３と同様に、抽斗１押入れ完了状態で、第３磁石９と第４磁石１１との吸着力によるその場に止まろうとする力と、第１磁石５と第２磁石７との反発力による抽斗格納部３奥側への引込み力とのバランスがとれ、出入れ時の操作性をさらに良くすることができる。
【００４１】
（参考形態２）
図７は参考形態２に係る抽斗格納構造を示す。この参考形態２では、第１磁石５が抽斗１に、第２磁石７が抽斗格納部３にそれぞれ突出するように取り付けられていること、及びこれらの取付け位置は参考形態１と同じであるが、上記抽斗格納部３の側板３ｄに、第１磁石５と反極性の第３磁石９が抽斗格納部３手前側に該第２磁石７と間隔をあけて突出するように取り付けられていること、及び上記抽斗１の側板１ｄに、第１磁石５と同極性の第４磁石１１が上記第１磁石５よりも抽斗格納部３手前側に間隔をあけて突出するように取り付けられていることが他の実施形態や参考形態と異なっている。
【００４２】
上記第１磁石５及び第４磁石１１は、図７（ａ）に示すように、抽斗１引出し状態で上記第２磁石７及び第３磁石９よりも抽斗格納部３手前側に位置し、抽斗１押入れ完了直前で、図７（ｂ）に示すように、上記第３磁石９に接近し、その後、上記第１磁石５が第３磁石９を追い越し、図７（ｃ）に示すように、抽斗１押入れ完了状態で上記第２磁石７と一部重なった状態で該第２磁石７を僅かに追い越している。一方、上記第３磁石９は、図７（ｃ）に示すように、抽斗１押入れ完了状態で上記第４磁石１１と側面視で重なっている。
【００４３】
このように構成された抽斗格納構造では、実施形態３，４と同様に、抽斗１押入れ完了状態で、第３磁石９と第４磁石１１との吸着力によるその場に止まろうとする力と、第１磁石５と第２磁石７との反発力による抽斗格納部３奥側への引込み力とのバランスがとれ、出入れ時の操作性をさらに良くすることができる。
【００４４】
（実施形態５）
図８は実施形態５に係る抽斗格納構造を示す。この実施形態５では、第１磁石５が抽斗１に、第２磁石７が抽斗格納部３にそれぞれ突出するように取り付けられていること、これらの取付け位置、上記抽斗格納部３の側板３ｄに、第１磁石５と反極性の第３磁石９が抽斗格納部３手前側に該第２磁石７と間隔をあけて突出するように取り付けられていること、及び上記抽斗１の側板１ｄに、第１磁石５と同極性の第４磁石１１が上記第１磁石５よりも抽斗格納部３手前側に間隔をあけて突出するように取り付けられていることは、参考形態２と同じであるが、上記抽斗１の側板１ｄに、第１磁石５と反極性の第５磁石１３が上記第１磁石５と第４磁石１１との間に突出するように取り付けられていることが参考形態２と異なっている。
【００４５】
上記第１磁石５及び第４磁石１１は、図８（ａ）に示すように、抽斗１引出し状態で上記第２磁石７及び第３磁石９よりも抽斗格納部３手前側に位置し、抽斗１押入れ完了直前で、図８（ｂ）に示すように、上記第３磁石９に接近し、その後、上記第１磁石５が第３磁石９を追い越し、図８（ｃ）に示すように、抽斗１押入れ完了状態で上記第２磁石７と一部重なった状態で該第２磁石７を僅かに追い越している。また、第５磁石１３は、抽斗１押入れ完了状態で上記第２磁石７と一部重なった状態で該第２磁石７を追い越さず、第２磁石７よりも抽斗格納部３手前側に位置している。一方、上記第３磁石９は、図８（ｃ）に示すように、抽斗１押入れ完了状態で上記第４磁石１１と側面視で重なっている。
【００４６】
このように構成された抽斗格納構造では、実施形態３，４及び参考形態２と同様に、抽斗１押入れ完了状態で、第３磁石９と第４磁石１１との吸着力によるその場に止まろうとする力と、第１磁石５と第２磁石７との反発力による抽斗格納部３奥側への引込み力とのバランスがとれているばかりか、第５磁石１３と第２磁石７との吸着力による抽斗格納部３手前側への引出し力と、第５磁石１３と第３磁石９との反発力による抽斗格納部３奥側への引込み力とがさらに加わり、出入れ時の操作性を一層良くすることができる。
【００４７】
なお、上記各実施形態及び参考形態では、磁石を抽斗及び抽斗格納部の側板に突出するように取り付けたが、側板を掘り込んで埋設してもよい。この場合、磁石の全体を埋め込んでもよく、あるいは側板から一部突出するように埋め込んでもよいが、磁石の全体を埋め込めば、側板から突出しなくなるので、安全性が高まり、デザイン上もスッキリしたものとなる。なお、予め側板に掘込み用の凹部が形成されていれば、磁石の取付位置が判り易く、取付け作業をスムーズに行うことができる。
【００４８】
また、上記各実施形態及び参考形態では、磁石を抽斗では側板の向板寄りに、抽斗格納部では側板の背板寄りにそれぞれ取り付けたが、磁石の取付け及び取外し作業性を考慮して、磁石を抽斗では側板の前板寄りに、抽斗格納部では側板の抽斗格納部手前寄りにそれぞれ取り付けてもよい。
【００４９】
さらに、磁石の大きさや個数等は、抽斗の大きさや重量に応じて適宜設定することができる。また、磁石の形状を抽斗側と抽斗格納部側とで異ならせても構わない。
【産業上の利用可能性】
【００５０】
この発明は、抽斗の納まりの良い抽斗格納構造について有用である。
【符号の説明】
【００５１】
１    抽斗
１ｄ  抽斗の側板
３    抽斗格納部
３ｄ  抽斗格納部の側板
５    第１磁石
７    第２磁石
９    第３磁石
１１  第４磁石
１３  第５磁石
【図１】
0005513463.tif 000002
【図２】
0005513463.tif 000003
【図３】
0005513463.tif 000004
【図４】
0005513463.tif 000005
【図５】
0005513463.tif 000006
【図６】
0005513463.tif 000007
【図７】
0005513463.tif 000008
【図８】
0005513463.tif 000009